(57)【特許請求の範囲】
【請求項１】
多数の障害釘を植設してなる遊技盤が前面に設けられた遊技機であって、
前記遊技盤が、透明な合成樹脂によって形成されたものであるとともに、
遊技球が転動可能なステージと、前記ステージに沿って設けられ、前記ステージ上を転動する遊技球を入賞させる複数の入賞口と、前記入賞口へ入賞しなかった遊技球をアウト球としてアウト口へ導く排出口とを有する入賞部材が、前記遊技盤に穿設された導球孔に対応する前記遊技盤の裏面側に、前記ステージが前後方向へ延びて複数の前記入賞口が奥行き方向に連なるような姿勢で設けられ、さらに前記ステージにおける各前記入賞口に隣接した位置に、前記ステージ上を転動する遊技球を夫々対応する前記入賞口へ誘導するための誘導溝を設けており、
前記遊技盤の表面側を流下してきた遊技球が、前記導球孔を介して前記遊技盤の裏面側へ移動して前記入賞部材の内部に入り込むと、前記遊技盤の裏面側において前記ステージ上を転動した後、前記入賞口あるいは前記排出口のいずれかに振り分けられることを特徴とする遊技機。
【請求項２】
遊技球を導入するための導入口が前記入賞部材に設けられているとともに、前記遊技盤の表面側を流下した遊技球を前記導入口に導くための誘導部材が前記遊技盤の表面側に設けられていることを特徴とする請求項１に記載の遊技機。
【請求項３】
前記入賞部材の前記導入口から各前記入賞口へ導かれる経路が前記遊技盤の表面側から視認可能になっていることを特徴とする請求項２に記載の遊技機。
【発明の詳細な説明】
【技術分野】
【０００１】
本発明は、パチンコ機、スマートボール機等の遊技機に関するものである。
【背景技術】
【０００２】
遊技機の一種であるパチンコ機は、木質板の表面に装飾シートを貼着した遊技盤が前面の上方に設置されており、その遊技盤面上に、発射装置によって発射された遊技球を上方に導くための誘導レールが円弧状に設置されている。そして、その誘導レールの内部が遊技領域として区画されており、各種の入賞装置が設置されているとともに、多数の障害釘が植設されている。また、近年では、遊技盤の中央に設置した大型の図柄表示装置において遊技内容に合わせて動画による演出を行うパチンコ機が多く開発されている。
【０００３】
上記従来のパチンコ機においては、入賞装置に設けられた入賞口内へ遊技球が入賞する様子を遊技者が確認できることが必要とされるため、遊技盤の表面側に入賞装置の入賞口を設ける必要があった。
【０００４】
【特許文献１】特開２００７−２８９７４０号公報
【発明の開示】
【発明が解決しようとする課題】
【０００５】
しかしながら、遊技領域のスペースは限られているため、すべての入賞装置の入賞口を遊技盤の表面側に設けると、残りのスペースが小さくなってしまうため、障害釘や図柄表示装置のレイアウトが限定されてしまうという不具合がある。また、遊技領域に大型の図柄表示装置等を設置することが困難となる。
【０００６】
さらに、遊技盤の前方には、ガラス板を嵌め込んだ前面枠が設置されるので、奥行きの大きな入賞装置を遊技盤の表面側に設置することができない。そのために入賞装置の奥行きを小さくすると、入賞口へ入賞する遊技球の流下態様が単調なものになってしまう、という不具合が生じる。
【０００７】
本発明の目的は、上記従来のパチンコ機が有する課題を解消し、遊技領域内のスペースを広く利用することができ、障害釘や図柄表示装置を多様にレイアウトすることが可能であるとともに、遊技球の流下態様がバラエティに富んでおり、非常に趣向性が高い遊技機を提供することにある。
【課題を解決するための手段】
【０００８】
かかる本発明の内、請求項１に記載された発明は、多数の障害釘を植設してなる遊技盤が前面に設けられた遊技機であって、前記遊技盤が、透明な合成樹脂によって形成されたものであるとともに、遊技球が転動可能なステージと、前記ステージに沿って設けられ、前記ステージ上を転動する遊技球を入賞させる複数の入賞口と、前記入賞口へ入賞しなかった遊技球をアウト球としてアウト口へ導く排出口とを有する入賞部材が、前記遊技盤に穿設された導球孔に対応する前記遊技盤の裏面側に、前記ステージが前後方向へ延びて複数の前記入賞口が奥行き方向に連なるような姿勢で設けられ、さらに前記ステージにおける各前記入賞口に隣接した位置に、前記ステージ上を転動する遊技球を夫々対応する前記入賞口へ誘導するための誘導溝を設けており、前記遊技盤の表面側を流下してきた遊技球が、前記導球孔を介して前記遊技盤の裏面側へ移動して前記入賞部材の内部に入り込むと、前記遊技盤の裏面側において前記ステージ上を転動した後、前記入賞口あるいは前記排出口のいずれかに振り分けられることを特徴とするものである。
【００１０】
請求項２に記載された発明は、請求項１に記載された発明において、遊技球を導入するための導入口が前記入賞部材に設けられているとともに、前記遊技盤の表面側を流下した遊技球を前記導入口に導くための誘導部材が前記遊技盤の表面側に設けられていることを特徴とするものである。
【００１１】
請求項３に記載された発明は、請求項２に記載された発明において、前記入賞部材の前記導入口から各前記入賞口へ導かれる経路が前記遊技盤の表面側から視認可能になっていることを特徴とするものである。
【発明の効果】
【００１２】
請求項１に記載の遊技機は、遊技盤が透明な樹脂で形成されているので、遊技盤の裏側の入賞口を遊技者から視認することができる。また、遊技盤の裏側に入賞口を有する遊技部材が設置されているため、遊技盤の表面側のスペースを広く利用して障害釘や図柄表示装置を多様にレイアウトすることができる。さらに、遊技盤の裏面側に位置した入賞部材の内部で遊技球が入賞口あるいは排出口のいずれかに振り分けられるので、遊技球の流下態様がバラエティに富んでおり、趣向性が高い。
また、遊技盤の裏面側において複数の入賞口が奥行き方向に連なっており、遊技球が遊技者から見て奥行き方向に長く移動可能であるため、遊技球の流下態様がきわめてバラエティに富んでおり、非常に趣向性が高い。
さらに、ステージにおける各入賞口に隣接した位置に、ステージ上を転動する遊技球を夫々対応する入賞口へ誘導するための誘導溝を設けているため、ステージ上を転動する遊技球を高い確率で入賞口へ入賞させることができる。
【００１４】
請求項２に記載の遊技機は、遊技盤の表面側を流下した遊技球を入賞部材の導入口に導くための誘導部材が遊技盤の表面側に設けられているため、遊技球を高い確率で入賞口に入賞させる（所定の場所を通過させて入賞球として検出させる）ことができる。
【００１５】
請求項３に記載の遊技機は、入賞部材の導入口から各入賞口へ導かれる経路が透明な合成樹脂製の遊技盤を通して遊技盤の表面側から視認可能になっているため、入賞部材に導かれた遊技球が遊技者の視界から消えないので、遊技者に不信感を抱かせて遊技に対する意欲を消失させる事態が生じない。
【発明を実施するための最良の形態】
【００１６】
以下、本発明の遊技機の一実施形態であるパチンコ機について、図面に基いて詳細に説明する。
【００１７】
＜パチンコ機の構造＞
図１は、本発明に係るパチンコ機を示したものであり、パチンコ機１は、周囲が機枠２によって覆われており、前面の上部には、平板状の遊技盤３が設置されている。また、機枠２の左端縁には、前面枠４が片開き可能に設置されており、前面枠４を閉じると、前面枠４に嵌め込まれたガラス板が遊技盤３の前面を覆うようになっている。
【００１８】
図２は、遊技盤３の表面側を示したもの（後述する入賞装置、障害釘７，７・・の一部の記載を省略したもの）である。遊技盤３は、透明なアクリル樹脂によって平板状に形成されている。そして、表面に、誘導レール６が円弧状（円周状）に設置されており、その内部が略円形の遊技領域Ｒとして区画された状態になっている。さらに、遊技領域Ｒには、金属製の多数の障害釘７，７・・が植設されており、大入賞装置８等の各種の入賞装置（図示せず）が設置されている。加えて、遊技領域Ｒの下端には、入賞しなかった遊技球をアウト球として回収するためのアウト球回収口２２が設けられている。そして、遊技領域Ｒの左下方の裏面には、入賞部材５が前方から後方へ突出するように設けられている。
【００１９】
図３は、入賞部材５を示したものであり、入賞部材５は、合成樹脂によって、上面および右側面を開口した縦長な船の如き形状に一体成形されている。そして、前端には、遊技盤３の裏面に当着させるための設置板１０が設けられており、その設置板１０の中央に、遊技球を導入するための導入口１１が穿設されている。また、遊技球を入賞口（後述する第一入賞口１５および第二入賞口１６）と排出口（後述する排出口２５）とに振り分けるための振分手段として機能するステージ１２が、上側の前後を縦断するように、かつ、前方から後方にかけて下向きに傾斜するように設けられている。さらに、ステージ１２の略中央の左側およびステージ１２の後端際の左側には、それぞれ、第一入賞通路１３および第二入賞通路１４が設けられており、それらの第一入賞通路１３の基端、第二入賞通路１４の基端が、それぞれ、第一入賞口１５、第二入賞口１６になっている。また、第一入賞通路１３、第二入賞通路１４には、それぞれ、第一入賞検出器１７、第二入賞検出器１８が設けられている。加えて、ステージ１２の第一入賞口１５、第二入賞口１６の前方に相当する位置には、それぞれ、第一誘導溝２３、第二誘導溝２４が刻設されており、ステージ１２を転動する遊技球を高い確率で第一入賞口１５、第二入賞口１６へ導き入れるようになっている。なお、ステージ１２の後端には、円弧状に屈曲した傾斜面が設けられており、勢い良く入賞部材５内に入り込んで第二入賞口１６の前を通過した遊技球を前方へ戻して、第二入賞口１６（場合によっては第一入賞口１５）へ入賞させるようになっている。一方、ステージ１２の右側には、第一入賞口１５、第二入賞口１６に入賞しなかった遊技球をアウト球回収口２２へと導くための排出口２５が設けられている。
【００２０】
また、遊技盤３の入賞部材５の導入口１１の前方に相当する部分には、導球孔２６が穿設されており、入賞部材５は、導入口１１を当該導球孔２６に合致させた状態で、設置板１０を遊技盤３の裏面に螺着することによって設置されている。また、導球孔２６の前方には、遊技盤３の表面側を流下した遊技球を入賞部材５の導入口１１に導くための誘導部材２７が設置されている。誘導部材２７は、合成樹脂によって、上面を開口した扁平な中空円筒状に形成されている。また、底面２９は、他の部分よりも後方へ突出するように設けられており、前方から後方にかけて下向きに傾斜した状態になっている。そして、誘導部材２７は、後方へ突出した底面２９を入賞部材５の導入口１１の内部に嵌合させた状態で、遊技盤３の表面側に螺着されている。
【００２１】
一方、図１に示すように、遊技盤３の裏側には、大型の液晶画面を有する図柄表示装置９が設置されており、図柄表示装置９に表示された図柄が透明な遊技盤３の前方から見えるようになっている。また、遊技領域Ｒの下方には、遊技球を貯留させるための供給皿１９と貯留皿２０とが、上下に連設されており、供給皿１９の右側には、遊技領域Ｒに遊技球を発射するための発射装置（図示せず）が内蔵されている。さらに、貯留皿２０の右側には、発射装置を操作するための発射ハンドル２１が突設されている。加えて、図示されていないが、遊技盤３の盤面の裏側には、遊技盤３に設置された各種の入賞装置や図柄表示装置９を作動させるための各種の作動装置が設置されている。
【００２２】
＜パチンコ機の作動内容＞
上記の如く構成されたパチンコ機１においては、遊技者等によって発射ハンドル２１が回動操作されると、発射装置によって遊技球が発射され、発射された遊技球は、誘導レール６に沿って遊技領域Ｒの上部へ誘導される。そして、誘導された遊技球は、障害釘７，７・・と次々に衝突しながら、遊技盤３の盤面上を流下する。また、遊技盤３の盤面上を流下する遊技球が各種の入賞装置に入賞した場合（たとえば、内部の入賞球検知器によって検知された場合）には、所定数の遊技球が、賞品球として遊技球払出装置（図示せず）によって払い出される。
【００２３】
また、遊技領域Ｒに打ち込まれた遊技球が、誘導部材２７に誘導されて、入賞部材５の内部に入り込んで奥側の第二入賞口１６に入賞し（入り込み）、その入賞が第二入賞通路１４内の第二入賞検出器１８によって検出された場合には、図柄表示装置９において演出表示（動画等による図柄の変動表示）を行うとともに、内部で抽選（乱数カウンタによる乱数の取得）を実行する。そして、所定の結果となった場合には、図柄表示装置９に所定の「大当たり図柄」を表示するとともに、「大当たり」を生起させる。
【００２４】
そして、「大当たり」が生起すると、通常時においては閉じた状態になっている大入賞装置８の開閉扉２８が、所定の回数だけ断続的に開成する（下端縁を中心として片開きする）。したがって、「大当たり」が生起した場合には、遊技者は多くの賞品球を獲得することが可能となる。
【００２５】
一方、遊技領域Ｒに打ち込まれた遊技球が、誘導部材２７に誘導されて、入賞部材５の内部に入り込んで手前側の第一入賞口１５に入賞し（入り込み）、その入賞が第一入賞通路１３内の第一入賞検出器１７によって検出された場合には、抽選を実行することなく、所定数の遊技球が、賞品球として遊技球払出装置（図示せず）によって払い出される。なお、第一入賞口１５、第二入賞口１６のいずれにも入賞しなかった遊技球は、ステージ１２の右側へ落下して排出口２５から排出され、図示しない回収通路を介して遊技盤３の表面側へ戻され、アウト球回収口２２から、アウト球（非入賞球）として回収される。したがって、入賞部材５内に遊技球が入賞した場合には、その遊技球が第一入賞口１５あるいは第二入賞口１６のいずれに入るのか、あるいは排出口２５に導かれるのかに、遊技者の多大な関心が寄せられることとなる。
【００２６】
＜パチンコ機の効果＞
パチンコ機１は、上記の如く、遊技盤３が、透明な合成樹脂によって形成されたものであるので、遊技盤３の裏側の第一入賞口１５および第二入賞口１６を遊技者から視認することができる。また、第一入賞口１５および第二入賞口１６を有する入賞部材５が遊技盤３の裏側に設置されているため、遊技盤３の表面側のスペースを広く利用して障害釘７，７・・や図柄表示装置９を多様にレイアウトすることができる。さらに、遊技盤３の裏面側に位置した入賞部材５の内部で遊技球が第一入賞口１５、第二入賞口１６入賞口あるいは排出口２５のいずれかに振り分けられるので、遊技球の流下態様がバラエティに富んでおり、趣向性が高い。
【００２７】
また、パチンコ機１は、遊技盤３の裏面側において第一入賞口１５、第二入賞口１６が奥行き方向に連なっており、遊技球が遊技者から見て奥行き方向に長く移動可能であるため、遊技球の流下態様がきわめてバラエティに富んでおり、非常に趣向性が高い。
【００２８】
さらに、パチンコ機１は、第一入賞口１５、第二入賞口１６および遊技球の導入口１１を設けた入賞部材５が遊技盤３の裏面側に設置されているとともに、遊技盤３の表面側を流下した遊技球を入賞部材５の導入口１１に導くための誘導部材２７が遊技盤３の表面側に設けられているため、遊技球を高い確率で入賞口に入賞させることができる。
【００２９】
加えて、パチンコ機１は、入賞部材５の導入口１１から第一入賞口１５、第二入賞口１６へ導かれる経路が透明な合成樹脂製の遊技盤３を通して当該遊技盤３の表面側から視認可能になっているため、入賞部材に導かれた遊技球が遊技者の視界から消えないので、遊技者に不信感を抱かせて遊技に対する意欲を消失させる事態が生じない。また、従来の木製の遊技盤を設けたパチンコ機では、遊技盤面よりも後方側の遊技部材に遊技球を流入させる場合には、遊技球を視認可能とするために遊技盤面に大きな開口部を設ける必要があったが、パチンコ機１は、誘導部材２７と連通した孔や排出口２５以外の開口部を必要としないため、遊技盤３の盤面上に遊技球が流下可能な領域が広く確保されているので、遊技盤３の盤面上の設計を多様性に富んだものとすることができる。
【００３０】
＜パチンコ機の変更例＞
なお、本発明の遊技機の構成は、上記実施形態の態様に何ら限定されるものではなく、遊技盤、入賞部材（入賞口、排出口等）、大入賞装置、図柄表示装置等の形状・構造等の構成を、本発明の趣旨を逸脱しない範囲で適宜変更することができる。
【００３１】
たとえば、本発明の遊技機において遊技盤の裏面側に設置する入賞部材は、上記実施形態の如く、２個の入賞口が奥行き方向に連なるように設けられたものに限定されず、単一の入賞口を設けたものや、３個以上の入賞口が奥行き方向に連なるように設けられたものでも良い。また、図４の如く、複数の入賞口を遊技盤面に沿った方向に連なるように設けたものに変更することも可能である。加えて、上記実施形態の如く、いずれの入賞口にも入賞しなかった遊技球が単一の排出口から排出されるものに限定されず、複数の排出口から排出されるものでも良い。また、本発明の遊技機は、図５の如く、排出口２５に導かれた遊技球を遊技盤３の表面側に戻すための戻し路３２を入賞部材５に設けるとともに、当該戻し路３２と連通した戻し口３１を遊技盤３の盤面に穿設することも可能である。
【００３２】
一方、本発明の遊技機は、上記実施形態の如く、複数の入賞口を奥行き方向に連なるように設ける場合には、入賞部材内の奥側に位置した入賞口に遊技球が入賞したときに、遊技者にとって高い付加価値を提供するものに限定されず、入賞部材内の手前側に位置した入賞口に遊技球が入賞したときに、遊技者にとって高い付加価値を提供するもの等に変更することも可能である。
【００３３】
さらに、遊技盤の材質は、アクリル樹脂に限定されず、ポリカーボネート、ポリイミド、ＰＥＥＫ、ＰＰＳ等のポリカーボネート以外の合成樹脂に変更することも可能である。加えて、遊技盤に設ける障害釘は、金属製のものに限定されず、合成樹脂製の障害釘を設けることも可能である。
【００３４】
加えて、誘導部材は、上記実施形態の如く、入賞部材と別個に設けられたものに限定されず、入賞部材に一体的に設けられたものでも良い。なお、誘導部材を入賞部材に一体的に設けた場合（一体成形に限らず、一体的に組み付けた場合を含む）には、遊技盤の裏面側に入賞部材を設置すれば誘導部材も固定されるため、遊技盤の表面側のスペースをより有効に活用することが可能となる。
【図面の簡単な説明】
【００３５】
【図１】パチンコ機の正面図である。
【図２】遊技盤の前方斜視図である。
【図３】入賞部材を示す説明図である（ａは前方斜視図であり、ｂは後方斜視図である）。
【図４】実施形態とは異なる入賞部材を設置した遊技盤の前方斜視図である。
【図５】実施形態とは異なる入賞部材を設置した遊技盤の前方斜視図である。
【符号の説明】
【００３６】
１・・パチンコ機、３・・遊技盤、５・・入賞部材、７・・障害釘、１１・・導入口、１２・・ステージ、１５・・第一入賞口、１６・・第二入賞口、２５・・排出口、２７・・誘導部材、Ｒ・・遊技領域。
【図１】
0005098102.tif 000002
【図２】
0005098102.tif 000003
【図３】
0005098102.tif 000004
【図４】
0005098102.tif 000005
【図５】
0005098102.tif 000006